(57)【特許請求の範囲】
【請求項１】
人体の頭頂から首に至る部位を覆う頭部と、胸部から腹部に至る部位を覆う胴部と、肩から手首に至る部位を覆う腕部と、腹部からふくらはぎに至る部位を覆う脚部とが一体に形成され、手首から手指先に至る部位を覆う手袋及びふくらはぎから足先に至る部位を覆う足部と協働して身体の全部を防護する化学防護服であって、自給式呼吸器を服内に装着可能な自給式呼吸器内装形気密服において、装着された自給式呼吸器の高圧空気容器に対峙する胴部後面に向けて頭部後面が斜め下方へ延在しており、上端が頭部上面に固着され両側端が頭部両側面に固着されて、頭部の内部空間を使用者の頭部を収容する前方部と自給式呼吸器具の高圧空気容器上方に位置する後方部とに区画する縦部分隔壁が頭部内に配設されていることを特徴とする自給式呼吸器内装形気密服。
【請求項２】
前端が縦部分隔壁の下端部に固着され後端が傾斜した頭部後面の下端部に固着された横隔壁が頭部内に配設されていることを特徴とする請求項１に記載の自給式呼吸器内装形気密服。
【発明の詳細な説明】
【技術分野】
【０００１】
本発明は、自給式呼吸器内装形気密服に関するものである。
【背景技術】
【０００２】
図１に示すように、人体の頭頂から首に至る部位を覆う頭部１と、胸部から腹部に至る部位を覆う胴部２と、肩から手首に至る部位を覆う腕部３と、腹部からふくらはぎに至る部位を覆う脚部４とが一体に形成され、腕部３に予め接合されて手首から手指先に至る部位を覆う手袋α及び脚部４と一体形成され或いは脚部４に予め接合されてふくらはぎから足先に至る部位を覆う足部βと協働して、身体の全部を防護する化学防護服であって、自給式呼吸器１００を服内に装着可能な自給式呼吸器内装形気密服Ａが従来から使用されている。胴部２の後面が後方へ膨出して自給式呼吸器の高圧空気容器１００ａを収容する空間を形成している。自給式呼吸器内装形気密服Ａの着用者は外部環境から遮断される。
従来の自給式呼吸器内装形気密服Ａにおいては、着用時の服内空間のデッドスペースを極力少なくすべく、図１（ｂ）に示すように、頭部１の後面１ａを首の基部位置まで略鉛直に垂下させ、次いで頭部１の後面１ａ下端を、高圧空気容器１００ａの頂部に添う上方へ凸の湾曲面を介して、高圧空気容器１００ａに対峙する胴部後面に接続していた。
【発明の概要】
【発明が解決しようとする課題】
【０００３】
従来の自給式呼吸器内装形気密服Ａには、着用者がしゃがんで前傾姿勢をとった時に、頭部１の後面１ａ下端と上方へ凸の湾曲面との間の縊れ部１ａ’が面外方向へ移動しないために、頭部後面１ａと高圧空気容器収容部下面１ａ”とが突っ張って違和感を覚えるという問題があった。前記違和感は、容積の大きな高圧空気容器１００ａを使用する際に顕著であった。また、気密服Ａを脱ぐ際に、高圧空気容器１００ａが縊れ部１ａ’に引っ掛かってしまうという問題もあった。
本発明は、着用者がしゃがんで前傾姿勢をとった時に頭部後面や高圧空気容器収容部下面が突っ張る違和感を覚えず、気密服を脱ぐ際に高圧空気容器が気密服に引っ掛からない、従来に比べて使い心地の良い自給式呼吸器内装形気密服を提供することを目的とする。
【課題を解決するための手段】
【０００４】
上記課題を解決するために、本発明においては、人体の頭頂から首に至る部位を覆う頭部と、胸部から腹部に至る部位を覆う胴部と、肩から手首に至る部位を覆う腕部と、腹部からふくらはぎに至る部位を覆う脚部とが一体に形成され、手首から手指先に至る部位を覆う手袋及びふくらはぎから足先に至る部位を覆う足部と協働して身体の全部を防護する化学防護服であって、自給式呼吸器を服内に装着可能な自給式呼吸器内装形気密服において、装着された自給式呼吸器の高圧空気容器に対峙する胴部後面に向けて頭部後面が斜め下方へ延在しており、上端が頭部上面に固着され両側端が頭部両側面に固着されて、頭部の内部空間を使用者の頭部を収容する前方部と自給式呼吸器具の高圧空気容器上方に位置する後方部とに区画する縦部分隔壁が頭部内に配設されていることを特徴とする自給式呼吸器内装形気密服を提供する。
本発明に係る自給式呼吸器内装形気密服においては、装着された自給式呼吸器の高圧空気容器に対峙する胴部後面に向けて頭部後面を斜め下方へ延在させることにより、従来頭部後面や高圧空気容器収容部下面が突っ張る原因となり、また気密服を脱ぐ際に高圧空気容器が引っ掛かる原因となっていた、頭部後面下端と上方へ凸の湾曲面との間の縊れ部を無くしたので、着用者がしゃがんで前傾姿勢をとった時に頭部後面や高圧空気容器収容部下面が突っ張る違和感を覚えず、気密服を脱ぐ際に高圧空気容器が気密服に引っ掛からない。本発明に係る自給式呼吸器内装形気密服は、従来に比べて使い心地が良い。
縦部分隔壁が頭部内に配設されることにより、頭部の横方向への拡がりによる形崩れと、頭部の前方傾斜による型崩れとが防止される。
【０００５】
本発明の好ましい態様においては、前端が縦部分隔壁の下端部に固着され後端が傾斜した頭部後面の下端部に固着された横隔壁が頭部内に配設されている。
横隔壁が頭部内に配設されることにより、大寸法の高圧空気容器を装着した時に、傾斜した頭部後面と頭部両側面と縦部分隔壁とによって形成される袋状部内に前記高圧空気容器が侵入し、傾斜した頭部後面に配設される排気弁と干渉する事態の発生が防止される。
横隔壁の両側端はフリーなので、横隔壁の側端と頭部側面との間の隙間から、縦部分隔壁と横隔壁と頭部後面と頭部両側面とで囲まれた空間に手を差し入れて、頭部後面に配設される排気弁の保守を行うことができる。
【図面の簡単な説明】
【０００６】
【図１】従来の自給式呼吸器内装形気密服の構造図である。（ａ）は正面図であり、（ｂ）は（ａ）のｂ−ｂ矢視図である。
【図２】本発明の実施例に係る自給式呼吸器内装形気密服の構造図である。（ａ）は図１の（ｂ）に相当する図であり、（ｂ）は（ａ）のｂ−ｂ矢視図であり、（ｃ）は（ｂ）のｃ−ｃ矢視図である。
【発明を実施するための形態】
【０００７】
本発明の実施例に係る自給式呼吸器内装形気密服を説明する。
図２に示すように、自給式呼吸器内装形気密服Ｂは、自給式呼吸器内装形気密服Ａと同様に、人体の頭頂から首に至る部位を覆う頭部１１と、胸部から腹部に至る部位を覆う胴部１２と、肩から手首に至る部位を覆う腕部と、腹部からふくらはぎに至る部位を覆う脚部とが一体に形成され、胴部１２の後面が後方へ膨出して自給式呼吸器１００の高圧空気容器１００ａを収容する空間を形成する構成を有している。
高圧空気容器１００ａに対峙する胴部１２の後面に向けて、頭部１１の後面１１ａが斜め下方へ延在し、胴部後面の上端部に接続している。
上端が頭部１１の上面後端に固着され両側端が頭部１１の両側面に固着されて、頭部１１の内部空間を、使用者の頭部を収容する前方部と高圧空気容器１００ａの上方に位置する後方部とに区画する、縦部分隔壁１１ｂが頭部１１内に配設されている。
前端が縦部分隔壁１１ｂの下端部に固着され後端が傾斜した頭部後面１１ａの下端部に固着された横隔壁１１ｃが頭部１１内に配設されている。
縦部分隔壁１１ｂと横隔壁１１ｃは、ポリエステル又はナイロン製の縦横方向共に伸縮性のある布素材で形成されていることが望ましい。また自給式呼吸器内装形気密服Ｂの素材と同一の柔軟な膜素材で形成されても良い。
【０００８】
自給式呼吸器内装形気密服Ｂにおいては、装着された高圧空気容器１００ａに対峙する胴部１２後面に向けて頭部後面１１ａを斜め下方へ延在させることにより、従来の自給式呼吸器内装形気密服Ａにおいて頭部後面１ａや高圧空気容器収容部下面１ａ”が突っ張る原因となり、また気密服Ａを脱ぐ際に高圧空気容器１００ａが引っ掛かる原因となっていた、頭部後面１ａ下端と上方へ凸の湾曲面との間の縊れ部１ａ’を無くしたので、着用者がしゃがんで前傾姿勢をとった時に頭部後面１１ａや高圧空気容器収容部下面１１ａ”が突っ張る違和感を覚えず、また気密服Ｂを脱ぐ際に高圧空気容器１００ａが気密服Ｂに引っ掛からない。従って、自給式呼吸器内装形気密服Ｂは自給式呼吸器内装形気密服Ａよりも使い心地が良い。
頭部１１両側面の互いに離隔する方向への相対移動が縦部分隔壁１１ｂによって阻止されることにより、気密服使用時の頭部１１の横方向への拡がりが防止される。縦部分隔壁１１ｂの前方への移動が使用者の頭部によって阻止されることにより、気密服使用時の頭部１１の前方への傾斜が阻止される。頭部１１の横方向への拡がりや前方傾斜が阻止されることにより、気密服使用時の頭部１１の形崩れが防止される。
大寸法の高圧空気容器１００ａを装着した時に、横隔壁１１ｃが高圧空気容器１００ａの頂部に当接して、縦部分隔壁１１ｂと傾斜した頭部後面１１ａと頭部１１の両側面とによって形成される袋状部内に前記高圧空気容器１００ａが侵入するのを阻止する。前記袋状部への高圧空気容器１００ａの侵入が阻止されることにより、高圧空気容器１００ａと傾斜した頭部後面１１ａに配設された排気弁１５とが干渉して、排気弁１５が損傷する事態の発生が防止される。
横隔壁１１ｃの両側端はフリーなので、横隔壁１１ｃの側端と頭部１１側面との間の隙間から、縦部分隔壁１１ｂと横隔壁１１ｃと頭部後面１１ａと頭部１１両側面とで囲まれた空間に手を差し入れて、頭部後面１１ａに配設された排気弁１５の保守を行うことができる。
【産業上の利用可能性】
【０００９】
本発明は、自給式呼吸器内装形気密服に広く利用可能である。
【符号の説明】
【００１０】
Ａ、Ｂ  自給式呼吸器内装形気密服
１、１１  頭部
２、１２  胴部
３  腕部
４  脚部
α  手袋
β  足部
１ａ、１１ａ  頭部後面
１ａ’ 縊れ部
１ａ”、１１ａ” 高圧空気容器収容部下面
１１ｂ  縦部分隔壁
１１ｃ  横隔壁
１５  排気弁
【図１】
0005472932.tif 000002
【図２】
0005472932.tif 000003